(57)【要約】【課題】使用者が足裏の感覚で前後のバランスを自ら微調整することで当該使用者の中心軸を効果的に矯正することが可能な中心軸矯正台を提供する。【解決手段】中心軸矯正台１は、底面及び曲面を有する円柱棒１１と、当該円柱棒１１の円柱軸が地面と平行するように円柱棒１１を地面から所定距離以上離れた位置で、且つ使用者が起立姿勢で円柱棒１１に昇降可能な位置に支持する台座１２ａ，１２ｂと、を備え、円柱棒１１の曲面には、使用者が起立姿勢で当該使用者の左右の足裏が置かれ、円柱棒１１の底面における円の直径は、５ｃｍ〜１０ｃｍの範囲内にある。【選択図】図１
2014223119.tif 000002
【特許請求の範囲】
【請求項１】
使用者が起立姿勢で昇降可能な中心軸矯正台であって、
底面及び曲面を有する円柱棒と、当該円柱棒の円柱軸が地面と平行するように当該円柱棒を地面から所定距離以上離れた位置で、且つ前記使用者が起立姿勢で当該円柱棒に昇降可能な位置に支持する台座と、を備え、
前記円柱棒の曲面には、前記使用者が起立姿勢で当該使用者の左右の足裏が置かれ、
前記円柱棒の底面における円の直径は、５ｃｍ〜１０ｃｍの範囲内にあることを特徴とする中心軸矯正台。
【請求項２】
前記円柱棒の曲面において前記使用者の少なくとも左右の足裏が置かれる部分には弾力性のあるクッション部材が固定されていることを特徴とする請求項１に記載の中心軸矯正台。
【請求項３】
前記円柱棒の両端部を支持する２つの前記台座を備えることを特徴とする請求項１または２に記載の中心軸矯正台。
【請求項４】
前記円柱棒の長手方向における長さは、３０ｃｍ〜５０ｃｍの範囲内にあることを特徴とする請求項１乃至３の何れか一項に記載の中心軸矯正台。
【発明の詳細な説明】
【技術分野】
【０００１】
本発明は、使用者の中心軸の矯正を効果的に行うことが可能な中心軸矯正台の技術分野に関する。
【背景技術】
【０００２】
従来、筋肉運動やストレッチ運動など、バランス感覚向上のための運動を自動的に且つ安定し、さらに一定して行えるようにし、もって使用者の意図した効果（ダイエット、シェイプアップ、運動不足解消等々） が過不足なく得られるようにしたバランス健康機が提案されている（例えば、特許文献１参照）。
【先行技術文献】
【特許文献】
【０００３】
【特許文献１】特開２００６−２５５０２５号公報
【発明の概要】
【発明が解決しようとする課題】
【０００４】
しかしながら、使用者が足裏の感覚で前後（腹側と背中側）のバランスを自ら微調整することで当該使用者の中心軸（垂直軸）を矯正できる器具等は知られていなかった。
【０００５】
本発明は、使用者が足裏の感覚で前後のバランスを自ら微調整することで当該使用者の中心軸を効果的に矯正することが可能な中心軸矯正台を提供することを目的とする。
【課題を解決するための手段】
【０００６】
上記課題を解決するために、請求項１に記載の発明は、使用者が起立姿勢で昇降可能な中心軸矯正台であって、底面及び曲面を有する円柱棒と、前記円柱棒の円柱軸が地面と平行するように当該円柱棒を地面から所定距離以上離れた位置で、且つ前記使用者が起立姿勢で当該円柱棒に昇降可能な位置に支持する台座と、を備え、前記円柱棒の曲面には、前記使用者が起立姿勢で当該使用者の左右の足裏が置かれ、前記円柱棒の底面における円の直径は、５ｃｍ〜１０ｃｍの範囲内にあることを特徴とする。
【０００７】
請求項２に記載の発明は、請求項１に記載の中心軸矯正台において、前記円柱棒の曲面において前記使用者の左右の少なくとも足裏が置かれる部分には弾力性のあるクッション部材が固定されていることを特徴とする。
【０００８】
請求項３に記載の発明は、請求項１または２に記載の中心軸矯正台において、前記円柱棒の両端部を支持する２つの前記台座を備えることを特徴とする。
【０００９】
請求項４に記載の発明は、請求項１乃至３の何れか一項に記載の中心軸矯正台において、前記円柱棒の長手方向における長さは、３０ｃｍ〜５０ｃｍの範囲内にあることを特徴とする。
【発明の効果】
【００１０】
本発明によれば、使用者が足裏の感覚で前後のバランスを自ら微調整することで当該使用者の中心軸を効果的に矯正することができる。
【図面の簡単な説明】
【００１１】
【図１】使用者が起立姿勢で昇降可能な中心軸矯正台１の斜視図である。
【図２】中心軸矯正台１を、図１に示すＹ方向から見た図である。
【図３】中心軸矯正台１を、図１に示すＸ方向から見た図である。
【図４】使用者が起立姿勢で円柱棒１１上に乗っている状態の一例を示す図である。
【図５】図４（Ａ），（Ｂ）の状態において、円柱棒１１と、これに乗った使用者の足裏との位置関係を示す図である。
【発明を実施するための形態】
【００１２】
以下、図１を用いて図面を参照して本発明の実施形態について説明する。
【００１３】
先ず、本発明の一実施形態に係る中心軸矯正台１の構成及び機能について、図１〜図５を用いて説明する。ここで、中心軸とは、例えば、起立姿勢にある人体がコマのように回転するときに人体の中心にできる垂直線（垂直軸）をいう。
【００１４】
図１は、使用者（人）が起立姿勢で昇降（乗降）可能な中心軸矯正台１の斜視図である。図２は、中心軸矯正台１を、図１に示すＹ方向から（つまり、上から）見た図である。図３は、中心軸矯正台１を、図１に示すＸ方向から（つまり、横から）見た図である。
【００１５】
中心軸矯正台１は、図１〜図３に示すように、円柱棒１１、及び円柱棒１１の両端部を支持する２つの台座１２ａ，１２ｂ等を備えて構成される。
【００１６】
円柱棒１１は、円柱棒１１の両端に形成された底面と、円柱棒１１の両端間に形成された曲面とを有する円柱形状の棒（ロールバー）である。ただし、使用者が乗っても撓まない強度があれば、空洞がある円筒形状の棒を円柱棒１１として適用してもよい。
【００１７】
円柱棒１１の材質は、木であることが望ましいが、使用者が乗っても撓まない強度があるものであれば、木以外にも鉄等の金属、若しくはプラスチック等を円柱棒１１に適用してもよい。
【００１８】
円柱棒１１の曲面には、使用者が起立姿勢で当該使用者の左右の足裏（例えば、土踏まず部分、又は足の指の付根部分）が直接又は間接的に置かれる。円柱棒１１の曲面に使用者の左右の足裏が直接に置かれるように構成してもよいが、使用者が円柱棒１１上に長時間乗ることを考慮すると、円柱棒１１の曲面において使用者の左右の少なくとも足裏が置かれる部分には弾力性のあるクッション部材１３が固定（例えば、接着により固定）されることが望ましい。クッション部材１３は、特に限定されるものではないが、ゴムや衝撃吸収ゲル等が適用可能である。円柱棒１１の曲面に、使用者の左右の足裏がクッション部材１３を介して（間接的に）置かれることで、使用者の足裏にかかる負荷を和らげることができる。図１〜図３の例では、円柱棒１１の一方端から他方端までの上半分の曲面にクッション部材１３が巻かれている。なお、クッション部材１３の厚さｔｈ（図２参照）は、例えば５ｍｍ〜１５ｍｍの範囲内であるように構成すればよい。
【００１９】
円柱棒１１の底面における円の直径ｄｉ（図２参照）は、５ｃｍ〜１０ｃｍの範囲内にあるように構成される。例えば、一般的な成人の足のサイズ（大きさ）が２２ｃｍ〜２７ｃｍであることを考慮すると、円柱棒１１上に乗った使用者が足裏の感覚で前後のバランスを自ら微調整し易くするためには、この直径ｄｉを６ｃｍ程度とすることが望ましい。
【００２０】
円柱棒１１の長手方向における長さＬ（図３参照）は、３０ｃｍ〜５０ｃｍの範囲内にあるように構成される。例えば、使用者が左右の足を肩幅程度に開いた状態で円柱棒１１上に乗ることを考慮すると、この長さＬは４０ｃｍ程度とすることが望ましい。
【００２１】
台座１２ａ，１２ｂは、円柱棒１１の円柱軸（２つの底面における円の中心を通る直線）が地面と平行するように円柱棒１１を地面から所定距離（例えば、円柱棒１１の下端が５ｃｍ〜１０ｃｍ程度）以上離れた位置で、且つ使用者が起立姿勢で円柱棒１１に昇降可能な位置に支持する。図１〜図３の例では、円柱棒１１は、留め金具１４ａ，１４ｂにより台座１２ａ，１２ｂに固定されるように構成しているが、台座１２ａ，１２ｂが円柱棒１１を動かないように上記位置に支持するためには、留め金具１４ａ，１４ｂ以外の方法で円柱棒１１を台座１２ａ，１２ｂに固定（例えば釘など）するように構成してもよい。
【００２２】
台座１２ａ，１２ｂの材質は、木であることが望ましいが、使用者が乗っても撓まない強度があるものであれば、木以外にも鉄等の金属、若しくはプラスチック等を台座１２ａ，１２ｂに適用してもよい。
【００２３】
台座１２ａ，１２ｂの高さＨ１（図２参照）は、例えば５ｃｍ〜１０ｃｍの範囲内にあるように構成すれば、中心軸矯正台１の高さＨ２（図２参照）は、２２ｃｍ程度以下になり、使用者が起立姿勢で円柱棒１１に容易に昇降することが可能となる。また、台座１２ａ，１２ｂの高さＨ１（図２参照）は、例えば５ｃｍ〜１０ｃｍの範囲内にあるように構成すれば、中心軸矯正台１の高さＨ２（図２参照）は、１０ｃｍ程度以上になり、使用者が円柱棒１１上に乗ったときに、この使用者の指先及びかかとが接地しない高さを確保することができる（中心軸矯正台１の高さＨ２は、１３ｃｍ以上あればなお良い）。
【００２４】
台座１２ａ，１２ｂの幅Ｗ１（図３参照）は、例えば５ｃｍ〜１０ｃｍの範囲内にあるように構成される。一方、中心軸矯正台１の幅Ｗ２（図３参照）は、円柱棒１１の長さＬに依存し、例えば４３ｃｍ〜４５ｃｍの範囲内にあるように構成される。これにより、使用者が円柱棒１１上に乗降する際に邪魔にならないように一定距離（少なくとも使用者の肩幅以上）離すことができる。
【００２５】
なお、台座１２ａ，１２ｂの奥行Ｄ（図３参照）は、中心軸矯正台１の持ち運びに支障がない程度、例えば２０ｃｍ〜３０ｃｍの範囲内にあるように構成される。
【００２６】
図４（Ａ），（Ｂ）は、使用者が起立姿勢で円柱棒１１上に乗っている状態の一例を示す図である。図５は、図４（Ａ），（Ｂ）の状態において、円柱棒１１と、これに乗った使用者の足裏との位置関係を示す図である。
【００２７】
図４（Ａ）の例では、図５の位置Ａに示すように、使用者の足裏の土踏まず部分が、円柱棒１１上にクッション部材１３を介して置かれる状態を示している。図４（Ａ）に示す状態は、使用者の肩（鎖骨の先端）部α、腰（腸骨の先端）部β、脛（脛骨）部γ、及び足裏の土踏まず部分が一直線になるように当該使用者が意識（このとき、腹部を引っこませる）しながら、円柱棒１１の上端（つまり、垂直方向における上側）部分を支点として土踏まず部分の感覚で前後のバランスを自ら微調整することで、当該使用者の中心軸の矯正が図られた理想の状態である。これは、上述したように、円柱棒１１の底面を円とし、なおかつ当該円の直径ｄｉを５ｃｍ〜１０ｃｍの範囲内にあるように構成することで、円柱棒１１の上端と使用者の土踏まず部分がテコのような関係となり、使用者は土踏まず部分の感覚（例えば、土踏まず部分で円柱棒１１を掴むような感覚）で前後のバランスを自ら微調整することが可能となる。
【００２８】
一方、図４（Ｂ）の例では、図５の位置Ｂに示すように、使用者の足裏の指の付根部分が、円柱棒１１上にクッション部材１３を介して置かれる状態を示している。図４（Ｂ）に示す状態は、使用者の肩部α、腰部β、及び足裏の指の付根部分が一直線になるように当該使用者が意識しながら、円柱棒１１の上端部分を支点として足裏の指の付根部分の感覚で前後のバランスを自ら微調整することで、当該使用者の中心軸の矯正が図られた理想の状態である。これについても、図４（Ａ）の場合と同様、円柱棒１１の底面を円とし、なおかつ当該円の直径ｄｉを５ｃｍ〜１０ｃｍの範囲内にあるように構成することで、使用者は足裏の指の付根部分の感覚（例えば、足の指と踏み付け部分とで円柱棒１１を掴むような感覚）で前後のバランスを自ら微調整することが可能となる。
【００２９】
以上説明したように、上記実施形態によれば、中心軸矯正台１は、底面及び曲面を有する円柱棒１１と、当該円柱棒１１の円柱軸が地面と平行するように円柱棒１１を地面から所定距離以上離れた位置で、且つ使用者が起立姿勢で円柱棒１１に昇降可能な位置に支持する台座１２ａ，１２ｂと、を備え、円柱棒１１の曲面には、使用者が起立姿勢で当該使用者の左右の足裏が置かれ、円柱棒１１の底面における円の直径は、５ｃｍ〜１０ｃｍの範囲内にあるように構成したので、使用者が足裏の感覚で前後のバランスを自ら微調整することで当該使用者の中心軸を効果的に矯正することができる。
【符号の説明】
【００３０】
１  中心軸矯正台
１１  円柱棒
１２ａ，１２ｂ  台座
１３  クッション部材
【図４】
2014223119.tif 000003
【図５】
2014223119.tif 000004
【図１】
2014223119.tif 000005
【図２】
2014223119.tif 000006
【図３】
2014223119.tif 000007
【手続補正書】
【提出日】平成25年7月29日(2013.7.29)
【手続補正１】
【補正対象書類名】特許請求の範囲
【補正対象項目名】全文
【補正方法】変更
【補正の内容】
【特許請求の範囲】
【請求項１】
使用者が起立姿勢で昇降可能な中心軸矯正台であって、
底面及び曲面を有する１つの円柱棒と、当該円柱棒の円柱軸が地面と平行するように当該円柱棒の下端が地面から空間を介して５ｃｍ〜１０ｃｍの範囲内の距離だけ離れた位置で、且つ前記使用者が起立姿勢で当該円柱棒に昇降可能な位置に支持する２つの台座と、を備え、
前記２つの台座は、前記円柱棒の長手方向において空間を介して所定距離だけ離れ、当該２つの台座により前記円柱棒の両端部が支持されており、
前記円柱棒の曲面には、前記使用者が起立姿勢で当該使用者の左右の足裏が置かれ、
前記円柱棒の底面における円の直径は、５ｃｍ〜１０ｃｍの範囲内にあることを特徴とする中心軸矯正台。
【請求項２】
前記円柱棒の曲面において前記使用者の少なくとも左右の足裏が置かれる部分には弾力性のあるクッション部材が固定されていることを特徴とする請求項１に記載の中心軸矯正台。
【請求項３】
前記円柱棒の長手方向における長さは、３０ｃｍ〜５０ｃｍの範囲内にあることを特徴とする請求項１または２に記載の中心軸矯正台。
【手続補正２】
【補正対象書類名】明細書
【補正対象項目名】０００６
【補正方法】変更
【補正の内容】
【０００６】
上記課題を解決するために、請求項１に記載の発明は、  使用者が起立姿勢で昇降可能な中心軸矯正台であって、底面及び曲面を有する１つの円柱棒と、当該円柱棒の円柱軸が地面と平行するように当該円柱棒の下端が地面から空間を介して５ｃｍ〜１０ｃｍの範囲内の距離だけ離れた位置で、且つ前記使用者が起立姿勢で当該円柱棒に昇降可能な位置に支持する２つの台座と、を備え、前記２つの台座は、前記円柱棒の長手方向において空間を介して所定距離だけ離れ、当該２つの台座により前記円柱棒の両端部が支持されており、前記円柱棒の曲面には、前記使用者が起立姿勢で当該使用者の左右の足裏が置かれ、前記円柱棒の底面における円の直径は、５ｃｍ〜１０ｃｍの範囲内にあることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項３に記載の発明は、請求項１または２に記載の中心軸矯正台において、前記円柱棒の長手方向における長さは、３０ｃｍ〜５０ｃｍの範囲内にあることを特徴とする。